(57)【要約】【課題】個人ウェブサイトの特性に合う広告を提供することにより、前記個人ウェブサイトを運営する会員クライアントに新しい収益を提供する。【解決手段】本発明は個人ウェブサイトを利用した収益創出方法及びそのシステムに係る。より詳しくは会員クライアントに備えられた前記個人ウェブサイトまたは情報提供サーバーに備えられた個人ウェブサイトの特性に適した広告または記事を個人ウェブサイトに自動で掲示する。このように、個人ウェブサイトの特性に適した広告を提供することにより、個人ウェブサイトを運営する会員クライアントに新たな収益を提供する効果がある。【選択図】図１
2010506243.tif 000002
【特許請求の範囲】
【請求項１】
個人ウェブサイトを構成するためのプログラムを会員クライアントに組み込む段階と；
前記会員クライアントが情報提供サーバーから提供する個人ウェブサイトを運営し、前記個人ウェブサイトの情報を情報提供サーバーに伝送する段階と；
前記情報提供サーバーが個人ウェブサイトの情報をデータベース化する段階と；
前記情報提供サーバーが広告主クライアントから問い合わせられた広告を分析してＤＢに伝送する段階と；
前記ＤＢに伝送されて保存された広告を特性に適した個人ウェブサイトに伝送して掲示する段階と；
前記個人ウェブサイトをインターネット使用者クライアントが情報提供サーバーに接続して検索する段階と；
前記検索された個人ウェブサイトのいずれか一つのウェブサイトを選択して接続する段階と；
前記接続したインターネット使用者クライアントが掲示された広告をクリックした後、情報提供サーバーを介して広告主ウェブサイトに移動する過程で情報提供サーバーでクリック回数を計数する段階と；
前記情報提供サーバーが、クリック回数によって広告主クライアントから振り込まれた広告料の一部分を会員クライアントに伝送する段階と；を含んでなることを特徴とする、個人ウェブサイトを利用した収益創出方法。
【請求項２】
前記会員クライアントにプログラムを組み込む段階は、情報提供サーバーと会員クライアントが運営する個人ウェブサイトが同一ドメインネームを持つプログラムを組み込むことを特徴とする、請求項１に記載の個人ウェブサイトを利用した収益創出方法。
【請求項３】
前記個人ウェブサイトに伝送して掲示する段階は、個人ウェブサイトの情報が変更されれば、変更された情報に合う広告または記事を個人ウェブサイトに掲示することを特徴とする、請求項１に記載の個人ウェブサイトを利用した収益創出方法。
【請求項４】
前記個人ウェブサイトに伝送して掲示する段階は、情報提供サーバーが類似の特性を持つ多数の個人ウェブサイトに掲示される広告または記事を一度の処理過程で同時に掲示することを特徴とする、請求項３に記載の個人ウェブサイトを利用した収益創出方法。
【請求項５】
前記広告または記事は個人ウェブサイトのいずれか一つの特定フレームに表示されることを特徴とする、請求項１に記載の個人ウェブサイトを利用した収益創出方法。
【請求項６】
前記いずれか一つのウェブサイトを選択して接続する段階は、個人ウェブサイトの動的ＩＰを利用して接続することを特徴とする、請求項１に記載の個人ウェブサイトを利用した収益創出方法。
【請求項７】
前記いずれか一つのウェブサイトを選択して接続する段階は、個人ウェブサイトのＵＲＬで直接接続することを特徴とする、請求項１または６に記載の個人ウェブサイトを利用した収益創出方法。
【請求項８】
多数の個人ウェブサイトが駆動するように情報提供サーバーを構築する段階と；
前記多数の個人ウェブサイトを多数の会員クライアントが情報提供サーバーに備えられたホスティング部に接続して運営する段階と；
前記運営される多数の個人ウェブサイト情報を情報提供サーバーのＤＢに保存してデータベース化し、広告主クライアントから提供された広告または記事を情報提供サーバーのＤＢに保存してデータベース化する段階と；
前記情報提供サーバーのＤＢにデータベース化したデータを情報提供サーバーのアプリケーション部に備えられたウェブクローラーが収集し、前記収集された個人ウェブサイトの情報を分析し、抽出された広告または記事をホスティング部に伝送して個人ウェブサイトの広告欄に掲示する段階と；
前記掲示された広告または記事を持つ多数の会員クライアントが運営する個人ウェブサイトをインターネット使用者クライアントが情報提供サーバーを利用して検索する段階と；
前記検索された多数の会員クライアントが運営する個人ウェブサイトの中でいずれか一会員クライアントが運営する個人ウェブサイトを選択して接続する段階と；
前記接続したインターネット使用者クライアントが掲示された広告または記事をクリックして広告または記事を閲覧する段階と；
前記広告または記事を閲覧するにことよって、情報提供サーバーで発生した収益を個人ウェブサイトを運営する会員クライアントに分配する段階と；を含んでなることを特徴とする、個人ウェブサイトを利用した収益創出方法。
【請求項９】
前記アプリケーション部に備えられたウェブクローラーは、個人ウェブサイトに掲示された情報を分析し、情報提供サーバーに備えられたＤＢから前記個人ウェブサイトに適した広告または記事を抽出することを特徴とする、請求項８に記載の個人ウェブサイトを利用した収益創出方法。
【請求項１０】
前記個人ウェブサイトの広告欄は、ウェブクローラーによって情報提供サーバーのＤＢから抽出された個人ウェブサイトの特性に適した広告または記事、及び活性化ウィンドウに入力された文字、数字及び記号によって情報提供サーバーのＤＢから抽出された広告または記事が掲示されることを特徴とする、請求項８または９に記載の個人ウェブサイトを利用した収益創出方法。
【請求項１１】
前記個人ウェブサイトの広告欄は、活性化ウィンドウで無作為広告方法が選択されれば広告が無作為に掲示されることを特徴とする、請求項１０に記載の個人ウェブサイトを利用した収益創出方法。
【請求項１２】
前記広告または記事を閲覧することによって、情報提供サーバーで発生した収益を個人ウェブサイトを運営する会員クライアントに分配する段階は、インターネット使用者クライアントによってクリックされた広告のクリック回数によって多数の会員クライアントに情報提供サーバーから広告料を分配することを特徴とする、請求項８に記載の個人ウェブサイトを利用した収益創出方法。
【請求項１３】
前記広告料は個人ウェブサイトの広告欄に広告または記事が掲示されることによって、定額制広告料を多数の会員クライアントに情報提供サーバーから分配することを特徴とする、請求項８または９に記載の個人ウェブサイトを利用した収益創出方法。
【請求項１４】
前記広告料は個人ウェブサイトに掲示されたイベントを持つ広告または記事をクリックして前記イベントを実行した会員クライアントに広告料を情報提供サーバーから分配することを特徴とする、請求項１３に記載の個人ウェブサイトを利用した収益創出方法。
【請求項１５】
前記多数の個人ウェブサイトは互いに同一のドメインネームを持つことを特徴とする、請求項１４に記載の個人ウェブサイトを利用した収益創出方法。
【請求項１６】
広告または記事が個人ウェブサイトに掲示されるように依頼し、前記広告または記事に対する広告料を提供する多数の広告主クライアントと；
前記広告または記事の中で個人ウェブサイトの特性に適した広告または記事が広告欄に記載される個人ウェブサイトを運営し、前記広告または記事が掲示されることによって広告料を受ける多数の会員クライアントと；
前記多数の会員クライアントの中で検索されたいずれかの会員クライアントが運営する個人ウェブサイトに接続し、前記掲示された広告または記事を閲覧する多数のインターネット使用者クライアントと；
前記多数の広告主クライアントから広告または記事及び広告料を受け、前記個人ウェブサイトの特性に適した広告または記事を自動で個人ウェブサイトに提供し、前記個人ウェブサイトを運営する会員クライアントを検索し、前記広告料を会員クライアントに分配する情報提供サーバーと；を含んでなることを特徴とする、個人ウェブサイトを利用した収益創出システム。
【請求項１７】
前記情報提供サーバーは、
広告欄が備えられた個人ウェブサイトを管理するホスティング部と；
前記個人ウェブサイトに掲示された情報及び会員クライアントの会員情報を受信するデータ受信部と；
前記受信された個人ウェブサイトに掲示された情報及び会員情報を保存するＤＢと；
前記保存された情報から個人ウェブサイトの特性に適した広告または記事を抽出し、前記抽出された広告または記事と前記個人ウェブサイトをマッチングさせるウェブクローラーとインターネット使用者クライアントが入力した検索語に適した前記個人ウェブサイト及び広告または記事を検索する検索エンジンと広告料を分配する収益分配エンジンを備えたアプリケーション部と；
前記個人ウェブサイトの特性に適した広告または記事を前記ホスティング部に伝送するデータ伝送部と；を含んでなることを特徴とする、請求項１６に記載の個人ウェブサイトを利用した収益創出システム。
【請求項１８】
前記ホスティング部は、
情報提供サーバーから伝送された広告または記事と会員クライアントから個人ウェブサイトに掲示される情報を受信するデータ受信部と；
前記受信された広告または記事及び個人ウェブサイトに掲示される情報を保存するＤＢと；
前記ＤＢに保存された広告または記事及び個人ウェブサイトに掲示される情報によって個人ウェブサイトを運営するウェブサーバーと；
前記ＤＢに保存された個人ウェブサイトに掲示される情報を情報提供サーバーのＤＢに伝送するデータ伝送部と；を含んでなることを特徴とする、請求項１７に記載の個人ウェブサイトを利用した収益創出システム。
【請求項１９】
前記アプリケーション部に備えられたウェブクローラーは、個人ウェブサイトに掲示された情報を分析して、情報提供サーバーに備えられたＤＢから前記個人ウェブサイトに適した広告または記事を抽出することを特徴とする、請求項１７または１８に記載の個人ウェブサイトを利用した収益創出システム。
【請求項２０】
前記個人ウェブサイトは、無作為広告または文字、数字及び記号入力による広告が個人ウェブサイトの広告欄に掲示されるようにする活性化ウィンドウを備えたことを特徴とする、請求項１７または１８に記載の個人ウェブサイトを利用した収益創出システム。
【請求項２１】
前記広告欄は、ウェブクローラーによって情報提供サーバーのＤＢで抽出された個人ウェブサイトの特性に適した広告または記事、及び活性化ウィンドウに入力された文字、数字及び記号によって情報提供サーバーのＤＢから抽出された広告または記事が掲示されることを特徴とする、請求項２０に記載の個人ウェブサイトを利用した収益創出システム。
【請求項２２】
前記個人ウェブサイトの広告欄は、活性化ウィンドウで無作為広告方法が選択されれば、広告が無作為に掲示されることを特徴とする、請求項２１に記載の個人ウェブサイトを利用した収益創出システム。
【請求項２３】
前記収益分配エンジンは、インターネット使用者クライアントによってクリックされた広告のクリック回数によって広告料を情報提供サーバーから会員クライアントに分配することを特徴とする、請求項１７または１８に記載の個人ウェブサイトを利用した収益創出システム。
【請求項２４】
前記収益分配エンジンは、個人ウェブサイトの広告欄に広告または記事が掲示されることによって、定額制広告料を情報提供サーバーから会員クライアントに分配することを特徴とする、請求項２３に記載の個人ウェブサイトを利用した収益創出システム。
【請求項２５】
前記収益分配エンジンは、個人ウェブサイトに掲示されたイベントを持つ広告または記事をクリックして前記イベントを実行した会員クライアントに広告料を情報提供サーバーから分配することを特徴とする、請求項２４に記載の個人ウェブサイトを利用した収益創出システム。
【請求項２６】
前記多数の個人ウェブサイトは互いに同一のドメインネームを持つことを特徴とする、請求項２５に記載の個人ウェブサイトを利用した収益創出システム。
【発明の詳細な説明】
【技術分野】
【０００１】
本発明は個人ウェブサイトを利用した収益創出方法及びそのシステムに係り、より詳しくは、会員クライアントに備えられた個人ウェブサイトまたは情報提供サーバーに備えられた個人ウェブサイトの特性に適した広告または記事を前記個人ウェブサイトに自動で掲示し、前記個人ウェブサイトを運営する会員に収益を創出させる個人ウェブサイトを利用した収益創出方法及びそのシステムに関するものである。
【背景技術】
【０００２】
従来、同一ドメインネームを持つ個人ウェブサイトにおいては、個人の趣味生活、社交クラブ、専門知識クラブなどのようなサービスを通じて写真、文、動画などのデータを相互交換していた。
しかし、前記のような従来技術は単に情報交流だけを行い、収益創出に対する方法がなかったから、個人ウェブサイトを充実に作ろうとする動機付与が少ないしかなかった。
【０００３】
このような従来技術の問題点を克服するために、個人ウェブサイトに広告を記載して収益を創出する技術が開発されたが、個人ウェブサイトを管理するサーバーと前記広告を提供するサーバーが分離されているため、個人ウェブサイトに広告を掲示することが難しくてその手続きが複雑であり、自動化していないため、当該分野の専門的な技術を持っていない人は易しく広告を掲示することができない問題点があった。
【０００４】
さらに他の問題点は、現在大部分のポータルウェブサイトから提供される個人ウェブサイトの場合には、ウェブサーバーに対する接近権限がないため、当該分野の専門的な技術を持っている専門家であっても広告を掲示することができない問題点があった。
【０００５】
【特許文献１】韓国特許公開１０−２００６−０００８６７６号公報
【発明の開示】
【発明が解決しようとする課題】
【０００６】
したがって、本発明は前記問題点を解決するためになされたもので、本発明の目的は、会員クライアントに構築された個人ウェブサイトまたは情報提供サーバーに構築された個人ウェブサイトに、自動で前記個人ウェブサイトの特性に適した広告または記事を掲示し、前記広告または記事を利用して会員クライアントが収益を創出するようにする方法及びシステムを提供することにその目的がある。
【課題を解決するための手段】
【０００７】
前記目的を達成するための本発明の一実施例によれば、個人ウェブサイトを構成するためのプログラムを会員クライアントに組み込む段階と；前記会員クライアントが情報提供サーバーから提供する個人ウェブサイトを運営し、前記個人ウェブサイトの情報を情報提供サーバーに伝送する段階と；前記情報提供サーバーが個人ウェブサイトの情報をデータベース化する段階と；前記情報提供サーバーが広告主クライアントから問い合わせられた広告を分析してＤＢに伝送する段階と；前記ＤＢに伝送されて保存された広告を特性に適した個人ウェブサイトに伝送して掲示する段階と；前記個人ウェブサイトをインターネット使用者クライアントが情報提供サーバーに接続して検索する段階と；前記検索された個人ウェブサイトのいずれか一つのウェブサイトを選択して接続する段階と；前記接続したインターネット使用者クライアントが掲示された広告をクリックした後、情報提供サーバーを介して広告主ウェブサイトに移動する過程で情報提供サーバーでクリック回数を計数する段階と；前記情報提供サーバーが、クリック回数によって広告主クライアントから振り込まれた広告料の一部分を会員クライアントに伝送する段階と；を含んでなることを特徴とする、個人ウェブサイトを利用した収益創出方法が提供される。
【０００８】
本発明の一実施態例によれば、前記会員クライアントにプログラムを組み込む段階は、情報提供サーバーと会員クライアントが運営する個人ウェブサイトが同一ドメインネームを持つプログラムを組み込むことができる。
本発明の一実施例によれば、前記個人ウェブサイトに伝送して掲示する段階は、個人ウェブサイトの情報が変更されれば、変更された情報に合う広告または記事を個人ウェブサイトに掲示することができる。
【０００９】
本発明の一実施例によれば、前記個人ウェブサイトに伝送して掲示する段階は、情報提供サーバーが類似の特性を持つ多数の個人ウェブサイトに掲示される広告または記事を一度の処理過程で同時に掲示することができる。
本発明の一実施例によれば、前記広告または記事は個人ウェブサイトのいずれか一つの特定フレームに表示されることができる。
【００１０】
本発明の一実施例によれば、前記いずれか一つのウェブサイトを選択して接続する段階は、個人ウェブサイトの動的ＩＰを利用して接続することができる。
本発明の一実施例によれば、前記いずれか一つのウェブサイトを選択して接続する段階は、個人ウェブサイトのＵＲＬで直接接続することができる。
【００１１】
前記目的を達成するための本発明の他の実施例によれば、多数の個人ウェブサイトが駆動するように情報提供サーバーを構築する段階と；前記多数の個人ウェブサイトを多数の会員クライアントが情報提供サーバーに備えられたホスティング部に接続して運営する段階と；前記運営される多数の個人ウェブサイト情報を情報提供サーバーのＤＢに保存してデータベース化し、広告主クライアントから提供された広告または記事を情報提供サーバーのＤＢに保存してデータベース化する段階と；前記情報提供サーバーのＤＢにデータベース化したデータを情報提供サーバーのアプリケーション部に備えられたウェブクローラーが収集し、前記収集された個人ウェブサイトの情報を分析し、抽出された広告または記事をホスティング部に伝送して個人ウェブサイトの広告欄に掲示する段階と；前記掲示された広告または記事を持つ多数の会員クライアントが運営する個人ウェブサイトをインターネット使用者クライアントが情報提供サーバーを利用して検索する段階と；前記検索された多数の会員クライアントが運営する個人ウェブサイトの中でいずれか一会員クライアントが運営する個人ウェブサイトを選択して接続する段階と；前記接続したインターネット使用者クライアントが掲示された広告または記事をクリックして広告または記事を閲覧する段階と；前記広告または記事を閲覧するにことよって、情報提供サーバーで発生した収益を個人ウェブサイトを運営する会員クライアントに分配する段階と；を含んでなることを特徴とする、個人ウェブサイトを利用した収益創出方法が提供される。
【００１２】
本発明の他の実施例によれば、前記アプリケーション部に備えられたウェブクローラーは、個人ウェブサイトに掲示された情報を分析し、情報提供サーバーに備えられたＤＢから前記個人ウェブサイトに適した広告または記事を抽出することができる。
【００１３】
本発明の他の実施例によれば、前記個人ウェブサイトの広告欄は、ウェブクローラーによって情報提供サーバーのＤＢから抽出された個人ウェブサイトの特性に適した広告または記事、及び活性化ウィンドウに入力された文字、数字及び記号によって情報提供サーバーのＤＢから抽出された広告または記事が掲示されることができる。
【００１４】
本発明の他の実施例によれば、前記個人ウェブサイトの広告欄は、活性化ウィンドウで無作為広告方法が選択されれば広告が無作為に掲示されることができる。
本発明の他の実施例によれば、前記広告または記事を閲覧することによって、情報提供サーバーで発生した収益を個人ウェブサイトを運営する会員クライアントに分配する段階は、インターネット使用者クライアントによってクリックされた広告のクリック回数によって多数の会員クライアントに情報提供サーバーから広告料を分配することができる。
【００１５】
本発明の他の実施例によれば、前記広告料は個人ウェブサイトの広告欄に広告または記事が掲示されることによって、定額制広告料を多数の会員クライアントに情報提供サーバーから分配することができる。
【００１６】
本発明の他の実施例によれば、前記広告料は個人ウェブサイトに掲示されたイベントを持つ広告または記事をクリックして前記イベントを実行した会員クライアントに広告料を情報提供サーバーから分配することができる。
本発明の他の実施例によれば、前記多数の個人ウェブサイトは互いに同一のドメインネームを持つことができる。
【００１７】
前記目的を達成するための本発明のさらに他の実施例によれば、広告または記事が個人ウェブサイトに掲示されるように依頼し、前記広告または記事に対する広告料を提供する多数の広告主クライアントと；前記広告または記事の中で個人ウェブサイトの特性に適した広告または記事が広告欄に記載される個人ウェブサイトを運営し、前記広告または記事が掲示されることによって広告料を受ける多数の会員クライアントと；前記多数の会員クライアントの中で検索されたいずれかの会員クライアントが運営する個人ウェブサイトに接続し、前記掲示された広告または記事を閲覧する多数のインターネット使用者クライアントと；前記多数の広告主クライアントから広告または記事及び広告料を受け、前記個人ウェブサイトの特性に適した広告または記事を自動で個人ウェブサイトに提供し、前記個人ウェブサイトを運営する会員クライアントを検索し、前記広告料を会員クライアントに分配する情報提供サーバーと；を含んでなることを特徴とする、個人ウェブサイトを利用した収益創出システムが提供される。
【００１８】
本発明のさらに他の実施例によれば、前記情報提供サーバーは、広告欄が備えられた個人ウェブサイトを管理するホスティング部と；前記個人ウェブサイトに掲示された情報及び会員クライアントの会員情報を受信するデータ受信部と；前記受信された個人ウェブサイトに掲示された情報及び会員情報を保存するＤＢと；前記保存された情報から個人ウェブサイトの特性に適した広告または記事を抽出し、前記抽出された広告または記事と前記個人ウェブサイトをマッチングさせるウェブクローラーとインターネット使用者クライアントが入力した検索語に適した前記個人ウェブサイト及び広告または記事を検索する検索エンジンと広告料を分配する収益分配エンジンを備えたアプリケーション部と；前記個人ウェブサイトの特性に適した広告または記事を前記ホスティング部に伝送するデータ伝送部と；を含んでなることができる。
【００１９】
本発明のさらに他の実施例によれば、前記ホスティング部は、情報提供サーバーから伝送された広告または記事と会員クライアントから個人ウェブサイトに掲示される情報を受信するデータ受信部と；前記受信された広告または記事及び個人ウェブサイトに掲示される情報を保存するＤＢと；前記ＤＢに保存された広告または記事及び個人ウェブサイトに掲示される情報によって個人ウェブサイトを運営するウェブサーバーと；前記ＤＢに保存された個人ウェブサイトに掲示される情報を情報提供サーバーのＤＢに伝送するデータ伝送部と；を含んでなることができる。
【００２０】
本発明のさらに他の実施例によれば、前記アプリケーション部に備えられたウェブクローラーは、個人ウェブサイトに掲示された情報を分析して、情報提供サーバーに備えられたＤＢから前記個人ウェブサイトに適した広告または記事を抽出することができる。
【００２１】
本発明のさらに他の実施例によれば、前記個人ウェブサイトは、無作為広告または文字、数字及び記号入力による広告が個人ウェブサイトの広告欄に掲示されるようにする活性化ウィンドウを備えることができる。
【００２２】
本発明のさらに他の実施例によれば、前記広告欄は、ウェブクローラーによって情報提供サーバーのＤＢで抽出された個人ウェブサイトの特性に適した広告または記事、及び活性化ウィンドウに入力された文字、数字及び記号によって情報提供サーバーのＤＢから抽出された広告または記事が掲示されることができる。
本発明のさらに他の実施例によれば、前記個人ウェブサイトの広告欄は、活性化ウィンドウで無作為広告方法が選択されれば、広告が無作為に掲示されることができる。
【００２３】
本発明のさらに他の実施例によれば、前記収益分配エンジンは、インターネット使用者クライアントによってクリックされた広告のクリック回数によって広告料を情報提供サーバーから会員クライアントに分配することができる。
本発明のさらに他の実施例によれば、前記収益分配エンジンは、個人ウェブサイトの広告欄に広告または記事が掲示されることによって、定額制広告料を情報提供サーバーから会員クライアントに分配することができる。
【００２４】
本発明のさらに他の実施例によれば、前記収益分配エンジンは、個人ウェブサイトに掲示されたイベントを持つ広告または記事をクリックして前記イベントを実行した会員クライアントに広告料を情報提供サーバーから分配することができる。
本発明のさらに他の実施例によれば、前記多数の個人ウェブサイトは互いに同一のドメインネームを持つことができる。
【発明の効果】
【００２５】
本発明は個人ウェブサイトの特性に合う広告を提供することにより、前記個人ウェブサイトを運営する会員クライアントに新しい収益を提供する効果がある。
【発明を実施するための最良の形態】
【００２６】
以下、添付図面に基づいて本発明の好適な実施例を詳細に説明する。
図１は本発明の一実施例による個人ウェブサイトを利用した広告システムのブロック図であって、前記広告システムは、多数の広告主クライアント１００と、多数の会員クライアント２００と、多数のインターネット使用者クライアント３００と、情報提供サーバー４００とから構成され、インターネット使用者に個人ウェブサイトを提供し、前記個人ウェブサイトの特性に適した種類の広告または記事を提供し、前記広告または記事を提供した広告主の広告料を一定割合で個人ウェブサイトを運営する会員に提供して収益を創出する。特に、状況によって、インターネット使用者クライアント３００は本発明の会員クライアント２００になることができ、前記会員クライアント２００がインターネット使用者クライアント３００になることができる。
【００２７】
より詳しくは、前記広告主クライアント１００は、情報提供サーバー４００に広告または記事を提供し、広告または記事の提供による広告料を支払う。さらに、前記広告主クライアント１００が提供する広告または記事は、情報提供サーバー４００が会員クライアント２００に提供する個人ウェブサイトのいずれか一つの特定フレームに自動で表示される。特に、前記広告料はオンライン決済手段を使用する。
【００２８】
前記会員クライアント２００は、情報提供サーバー４００で管理されている個人ウェブサイトを提供され、前記提供された個人ウェブサイトを会員の特性によって図２に示すように製作する。そして、会員の特性によって製作された個人ウェブサイトのいずれか一つの任意の部分に個人ウェブサイトの特性に適した広告または記事を情報提供サーバー４００から受信して自動で掲示する。すなわち、情報提供サーバー４００が多数の広告主クライアント１００から提供された広告をデータベース化し、データベース化した広告または記事のうち、個人ウェブサイトの特性に適した広告または記事を個人ウェブサイトに自動で伝送した後に掲示する。特に、個人ウェブサイトは、自分の情報を一定時間ごとに情報提供サーバー４００に随時伝送する。このような過程を行うものは、情報提供サーバー４００に構築されたアプリケーション部４３０のウェブクローラーである。
【００２９】
したがって、会員クライアント２００で運営される個人ウェブサイト情報が変更されれば、個人ウェブサイトに掲示される広告または記事も自動で変更されて掲示される。
【００３０】
さらに、会員が個性的に製作した個人ウェブサイトに情報提供サーバー４００から伝送された広告または記事をインターネット使用者クライアント３００が動的ＩＰを介して接続してクリックすれば、会員クライアント２００は広告または記事のＵＲＬに直接進まないで本発明の情報提供サーバー４００を介して前記広告または記事のＵＲＬに進むとともに情報提供サーバー４００でクリック回数を計数する。
【００３１】
前記インターネット使用者クライアント３００が情報提供サーバー４００に接続して検索語を入力すれば、情報提供サーバー４００に構築されたアプリケーション部４３０の検索エンジンが駆動される。前記駆動された検索エンジンは、図３に示すように、前記検索語に合う個人ウェブサイトのリストを出力する。前記出力されたリストは情報提供サーバー４００と同一のドメインネームを持つ。また、前記出力されたリストの中で、インターネット使用者クライアント３００は所望の個人ウェブサイトを選択して動的ＩＰに接続する。さらに、インターネット使用者クライアント３００でウェブブラウザーアドレスウィンドウに直接会員クライアント２００が運営する個人ウェブサイトのアドレスを入力すれば、前記個人ウェブサイトアドレスに移動する。
【００３２】
一方、前述したように、多数のインターネット使用者クライアント３００が個人ウェブサイトに登録された広告または記事をクリックした回数によって会員クライアント２００が広告料を受ける。
【００３３】
前記情報提供サーバー４００は、図４に示すように、データ受信部４１０と、ＤＢ４２０と、アプリケーション部４３０と、データ伝送部４４０とからなり、会員クライアント２００に個人ウェブサイトを提供し、前記個人ウェブサイトのいずれか一つのフレームに個人ウェブサイトの特性に適した広告主クライアント１００の広告または記事を掲示し、前記広告または記事を個人ウェブサイトに広告する代価として、広告料を広告主クライアント１００から受け、個人ウェブサイト運営者に前記広告料の一部を支給する。また、前記情報提供サーバー４００は、インターネット使用者クライアント３００が個人ウェブサイトに接続した回数によって検索ウィンドウに表示される個人ウェブサイトの検索順位を変更する。
より詳細に、情報提供サーバー４００の前記データ受信部４１０は、個人ウェブサイトを活用するために、使用者の個人情報を会員クライアント２００から受信してＤＢ４２０に伝送する。また、情報提供サーバー４００で会員クライアント２００に提供する個人ウェブサイト情報を随時収集し、個人ウェブサイトに対するＤＢ４２０を更新する。この際、ＤＢ４２０の更新はウェブクローラーが行う。会員によって個人ウェブサイトの情報が変更されれば、前記ウェブクローラーは変更された情報を収集してＤＢ４２０に構築し、変更された情報による広告または記事を伝送して掲示する。
【００３４】
例えば、任意の個人ウェブサイトを運営する会員がゴルフ商取引個人ウェブサイトを運営してから音楽商取引個人ウェブサイトに変更すれば、ゴルフ関連広告または記事から音楽関連広告または記事に変更される。
前記個人情報は、個人の人的事項だけではなく、運営する個人ウェブサイトの特性を含む。したがって、旅行関連個人ウェブサイトを運営する会員クライアント２００が旅先、旅先による準備事項、交通手段、観光地などに関する情報をアップデートすれば、前記アップデートされた情報が情報提供サーバー４００のＤＢ４２０に更新されて登録される。
【００３５】
また、前記データ受信部４１０は、広告主クライアント１００から広告と広告料を受信する。
特に、インターネット使用者クライアント３００が会員クライアント２００によって運営される個人ウェブサイトに掲示された広告または記事をクリックすれば、クリックした回数を情報提供サーバー４００が受信する。前記クリックした回数は広告料の支払いの判断基準となる。
【００３６】
前記情報提供サーバー４００のＤＢ４２０は、プログラムＤＢ、個人情報ＤＢ、ウェブサイト構成要素ＤＢ、広告主ＤＢ、及び広告クリック回数ＤＢで構成される。より詳細に、前記プログラムＤＢは固定ＩＰアドレスとドメインサービスを利用することができないインターネット使用者に本発明サービスを提供するために会員クライアント３００に組み込まれるプログラムであり、前記個人情報ＤＢは情報提供サーバー４００のデータ受信部４１０から会員個人の人的事項または会員が運営する個人ウェブサイトの情報を受信して構築したものであり、前記ウェブサイト構成要素ＤＢは個人ウェブサイトを構築するためのＤＢであり、前記広告主ＤＢは広告を提供する広告主の情報についてのＤＢであり、前記広告クリック回数ＤＢは個人ウェブサイトに表示される広告をインターネット使用者がクリックした回数が記録されたＤＢである。
【００３７】
前記情報提供サーバー４００のアプリケーション部４３０は個人ウェブサイトを会員クライアント２００に提供する。この際、前記個人ウェブサイトが会員によって特徴的に製作されたものであるので、前記個人ウェブサイトの特性と連関性ある広告または記事が個人ウェブサイトのいずれか一部分に掲示されるようにする。また、連関性がある多数の個人ウェブサイトに掲示される広告または記事を同時に自動で掲示する。
【００３８】
特に、インターネット使用者クライアント３００が個人ウェブサイトに動的ＩＰで接続して前記広告または記事をクリックすれば、広告または記事のＵＲＬに直接進まなく情報提供サーバー４００に進み、クリック回数を計数してから広告または記事のＵＲＬに進む。
【００３９】
さらに、アプリケーション部４３０にはウェブクローラーと検索エンジンが備えられている。前記ウェブクローラーは、個人ウェブサイトの情報を随時収集し、収集された情報に基づいて個人ウェブサイトの広告または記事が表示されるフレームに適した広告または記事を自動で掲示する。
【００４０】
前記検索エンジンは、インターネット使用者クライアント３００が情報提供サーバー４００に接続して所望の検索語を入力すれば、検索語と連関性がある個人ウェブサイトリストを並べる。すなわち、従来のポータルサイト検索ウィンドウはポータルサイトで運営していない多くのウェブサイトを並べているものであるに対し、本発明は、検索語を入力すれば、情報提供サーバー４００とドメインネームが同一で、検索語と連関性がある個人ウェブサイトが並ぶ。
【００４１】
一方、アプリケーション部４３０は、広告主クライアント１００から伝送された広告の特性を分析し、連関性ある広告をデータベース化してＤＢ４２０に伝送する。
前記情報提供サーバー４００のデータ伝送部４４０は、ＤＢ４２０に構築されたプログラムＤＢを会員クライアント２００に伝送する。前記プログラムは、会員クライアント２００がウェブサーバーになるためのプログラム、個人ウェブサイトを構成するためのデータ及びプログラム、及び情報提供サーバー４００との通信をなすためのプログラムを含む。よって、前記プログラムが会員クライアント２００に組み込まれることにより、本発明が実行される。
以上に説明した情報提供サーバー４００は個人ウェブサイトと同一のドメインネームを持つ。
【００４２】
図５は、本発明の一実施例による個人ウェブサイトを利用して広告するシステムを利用した収益創出方法を示すフローチャートであり、前記収益創出方法は次のような段階を実行する。
【００４３】
個人ウェブサイトを構成するためのプログラムを会員クライアントに組み込む段階（Ｓ１０）と、前記会員クライアントが情報提供サーバーから提供する個人ウェブサイトを運営し、前記個人ウェブサイトの情報が情報提供サーバーに伝送される段階（Ｓ２０）と、前記情報提供サーバーが個人ウェブサイトの情報をデータベース化する段階（Ｓ３０）と、前記情報提供サーバーが広告主クライアントから問い合わせられた広告を分析してＤＢに伝送する段階（Ｓ４０）と、前記ＤＢに伝送されて保存された広告を特性に適した個人ウェブサイトに伝送して掲示する段階（Ｓ５０）と、前記個人ウェブサイトをインターネット使用者クライアントが情報提供サーバーに接続して検索する段階（Ｓ６０）と、前記検索された個人ウェブサイトのいずれか一つのウェブサイトを選択して接続する段階（Ｓ７０）と、前記接続したインターネット使用者クライアントが掲示された広告をクリックした後、情報提供サーバーを介して広告主ウェブサイトに移動する過程で情報提供サーバーでクリック回数を計数する段階（Ｓ８０）と、前記情報提供サーバーがクリック回数によって広告主クライアントから振り込まれた広告料の一部分を会員クライアントに伝送する段階（Ｓ９０）とからなる。
【００４４】
より詳細に、個人ウェブサイトを構成するためのプログラムを会員クライアントに組み込む段階（Ｓ１０）においては、情報提供サーバー４００と会員クライアント２００が運営する個人ウェブサイトが同一ドメインネームを持つプログラムが組み込まれ、前記会員クライアント２００が情報提供サーバー４００の会員になり、前記プログラムは情報提供サーバー４００から提供されて、会員クライアント２００に個人ウェブサイトが構築される。
【００４５】
前記会員クライアントが情報提供サーバーで提供する個人ウェブサイトを運営し、前記個人ウェブサイトの情報が情報提供サーバーに伝送される段階（Ｓ２０）においては、Ｓ１０段階で組み込まれたプログラムによって情報提供サーバー４００から提供する個人ウェブサイトを会員クライアント２００が運営し、個人ウェブサイトの運営による情報を情報提供サーバー４００に構築されたアプリケーション部４３０のウェブクローラーが収集する。
【００４６】
前記情報提供サーバーが個人ウェブサイトの情報をデータベース化する段階（Ｓ３０）においては、Ｓ２０段階でウェブクローラーが個人ウェブサイト情報を収集し、それぞれの個人ウェブサイト特性に適した広告または記事を個人ウェブサイトのいずれか一つの部分に掲示するために、個人ウェブサイトをデータベース化する。
【００４７】
前記情報提供サーバーが広告主クライアントから問い合わせられた広告を分析してＤＢに伝送する段階（Ｓ４０）においては、Ｓ３０段階の後、情報提供サーバー４００が個人ウェブサイト情報と多数の広告主クライアント１００で問い合わせた広告または記事が互いに連関性を持っているかを分析する。すなわち、個人ウェブサイト特性に適した広告または記事を個人ウェブサイトに掲示するために分析してデータベース化してＤＢ４２０に伝送する。
【００４８】
前記ＤＢに伝送されて保存された広告を特性に適した個人ウェブサイトに伝送して掲示する段階（Ｓ５０）においては、Ｓ４０段階で分析した結果、個人ウェブサイト特性に適した広告または記事を個人ウェブサイトのいずれか一つの特定フレームに表示するように伝送して掲示する。
【００４９】
例えば、任意の会員が旅行関連個人ウェブサイトを運営してからゴルフ関連個人ウェブサイトに変更して運営すれば、ウェブクローラーが旅行関連個人ウェブサイト情報をゴルフ関連個人ウェブサイト情報に変更された情報を収集する。このように、ウェブクローラーは、個人ウェブサイト情報を随時収集することで、会員が運営する個人情報の特性を把握する。
【００５０】
特に、個人ウェブサイトは、情報提供サーバー４００と同一のドメインネームを持つとともに情報提供サーバー４００で管理されるので、類似の特性を持つ多数の個人ウェブサイトに掲示される広告または記事を一度の処理過程で同時に掲示する。すなわち、図３に示すように、ａｂｃ、ｍｅ、ｃは会員のＩＤで、ｅ＃ｗｏｒｌｄ．ｃｏｍはドメインネームであり、前記ｅ＃ｗｏｒｌｄ．ｃｏｍは情報提供サーバー４００のドメインネームと同一であるので、前記ａｂｃ、ｍｅ、ｃが類似の特性を持つ個人ウェブサイトの場合であれば、前記個人ウェブサイトに適した広告を一度にすべて伝送することができる。
【００５１】
また、ドメインネームが同一で、情報提供サーバー４００の会員であるので、個人ウェブサイトの情報が変更されれば、変更された情報に合う広告または記事を個人ウェブサイトに掲示する。
前記個人ウェブサイトをインターネット使用者クライアントが情報提供サーバーに接続して検索する段階（Ｓ６０）においては、Ｓ５０段階で情報提供サーバー４００が個人ウェブサイトに広告または記事を掲示すれば、インターネット使用者クライアントが所望の個人ウェブサイトに訪問するためにキーワードを入力することにより、情報提供サーバー４００のＤＢに構築された個人ウェブサイトが配列される。
【００５２】
前記検索された個人ウェブサイトのいずれか一つのウェブサイトを選択して接続する段階（Ｓ７０）においては、Ｓ６０段階で検索されて配列された個人ウェブサイトの中で、インターネット使用者クライアント３００がいずれか一つのウェブサイトを選択して動的ＩＰで接続する。特に、前記動的ＩＰ接続の外に、ウェブブラウザーのアドレスウィンドウに個人ウェブサイトのＵＲＬを直接入力して接続することが好ましい。
【００５３】
前記接続したインターネット使用者クライアントが掲示された広告をクリックした後、情報提供サーバーを介して広告主ウェブサイトに移動する過程で情報提供サーバーでクリック回数を計数する段階（Ｓ８０）においては、多数のインターネット使用者クライアント３００が個人ウェブサイトに掲示された多数の広告の中でいずれか一つの広告をクリックすれば、情報提供サーバー４００を介して広告主ウェブサイトに移動するとともに情報提供サーバー４００にクリック回数が計数される。
【００５４】
前記情報提供サーバーがクリック回数によって広告主クライアントから振り込まれた広告料の一部分を会員クライアントに伝送する段階（Ｓ９０）においては、Ｓ８０段階で広告主クライアント１００から受けた広告料の一部をクリック回数によって配分して個人ウェブサイトを運営する会員クライアント２００に支払う。
【００５５】
図６は本発明の他の一実施例による個人ウェブサイトを利用した収益創出方法を示すフローチャートであり、前記収益創出方法は次のような段階を実行する。
【００５６】
多数の個人ウェブサイトが駆動するように情報提供サーバーを構築する段階（Ｓ１１）と、多数の会員クライアントが情報提供サーバーに備えられたホスティング部に接続して前記多数の個人ウェブサイトを運営する段階（Ｓ２１）と、前記運営される多数の個人ウェブサイト情報を情報提供サーバーの第１ＤＢに保存してデータベース化し、広告主クライアントから提供された広告または記事を第１ＤＢに保存してデータベース化する段階（Ｓ３１）と、前記第１ＤＢにデータベース化したデータを情報提供サーバーのアプリケーション部に備えられたウェブクローラーが収集し、前記収集された個人ウェブサイトの情報を分析し、抽出された広告または記事をホスティング部に伝送して個人ウェブサイトの広告欄に掲示する段階（Ｓ４１）と、前記掲示された広告または記事を持つ多数の会員クライアントが運営する個人ウェブサイトをインターネット使用者クライアントが情報提供サーバーを利用して検索する段階（Ｓ５１）と、前記検索された多数の会員クライアントが運営する個人ウェブサイトの中で任意の一会員クライアントが運営する個人ウェブサイトを選択して接続する段階（Ｓ６１）と、前記接続したインターネット使用者クライアントが掲示された広告または記事をクリックして広告または記事を閲覧する段階（Ｓ７１）と、前記広告または記事を閲覧することによって、情報提供サーバーで発生した収益を個人ウェブサイトを運営する会員クライアントに分配する段階（Ｓ８１）とからなる。
【００５７】
より詳細に、多数の個人ウェブサイトが駆動するように情報提供サーバーを構築する段階（Ｓ１１）においては、図７に示すように、情報提供サーバー５００が個人ウェブサイト６００を駆動する。すなわち、前記情報提供サーバー５００は、図８に示すように、会員クライアント２００が運営するように個人ウェブサイト６００を提供するホスティング部５１０と、会員クライアント２００の個人情報及び前記個人ウェブサイト６００の情報を収集する第１データ受信部５２０と、前記第１データ受信部５２０で収集された多数の情報を保存する第１ＤＢ５３０と、情報提供サーバー５００を駆動する多数のアプリケーションが構築されたアプリケーション部５４０と、前記第１ＤＢ５３０に保存された広告とマッチングする個人ウェブサイト６００に前記広告を掲示するためにホスティング部５１０に伝送する第１データ伝送部５５０とからなる。特に、前記情報提供サーバー５００の詳細構成要素について、図８に基づいて詳細に説明する。
【００５８】
したがって、本発明の収益創出方法の他の一実施例は、図５に示す実施例のＳ１０段階のように、会員クライアント２００が個人ウェブサーバーとして動作するためのプログラムを情報提供サーバー４００から受けて組み込むことで個人ウェブサイトを駆動し、前記個人ウェブサイト６００は情報提供サーバー５００が備えたホスティング部５１０で管理される。
【００５９】
前記多数の個人ウェブサイトを多数の会員クライアントが情報提供サーバーに備えられたホスティング部に接続して運営する段階（Ｓ２１）は、Ｓ１１段階のように、情報提供サーバー５００が構築されれば、優先して会員クライアント２００の会員情報を情報提供サーバー５００の第１データ受信部５２０に伝送することにより、会員として加入され、前記会員として加入された会員情報は第１ＤＢ５３０にデータベース化される。
【００６０】
このように、会員として加入された多数の会員クライアント２００はホスティング部５１０のウェブサーバー５１３に接続し、図９に示すように、個人ウェブサイトを運営する。
【００６１】
一方、前記個人ウェブサイト６００は、一般人が運営する個人ウェブサイトの場合と、放送、スポーツ、言論、政治など社会全般的に公的資格を有する公人が運営する個人ウェブサイトの場合と、特定分野に深い関心を持っているマニアが運営する個人ウェブサイトの場合とがあり、このような多数の個人ウェブサイト運営者がホスティング部５１０で駆動されて個人ウェブサイト６００を運営する。
また、個人ウェブサイト６００には広告欄が構築されており、前記広告欄に掲示される広告も、運営される個人ウェブサイト６００の特性に適した広告が掲示されることが好ましい。
【００６２】
特に、多数の個人ウェブサイト６００は同一ドメインネームで構成される。このように、同一ドメインネームを持つ理由は、情報提供サーバー５００が多数の会員クライアント２００に個人ウェブサイトを提供するために同一ドメインネームを持っていなければならないからである。
【００６３】
一方、情報提供サーバー５００は、前記同一ドメインネームを持つ個人ウェブサイトと異なるドメインネームで構成されることもできる。このように、情報提供サーバー５００が異なるドメインネームを持つ理由は、前記個人ウェブサイトがホスティング部５１０によって管理されるからである。また、前記個人ウェブサイト６００と情報提供サーバー５００は同一ドメインネームで構成されることができる。
【００６４】
さらに、個人ウェブサイト６００を運営するのに必要なデータ、つまり会員クライアント２００が個人ウェブサイト６００に掲示した動画、音楽、イメージ、テキストなどがホスティング部５１０の第２ＤＢ５１２に保存され、保存された第２ＤＢ５１２はホスティング部５１０の第２データ伝送部５１４を通じて情報提供サーバー５００の第１ＤＢ５３０に保存される。
【００６５】
前述したホスティング部５１０は、会員クライアント２００の数によって負荷が生ずることができるので、ホスティング部５１０を多数構築するのが好ましい。よって、情報提供サーバー５００内に多数構築することもでき、別途の客体として分離して前記情報提供サーバー５００と連動させることができる。
【００６６】
前記運営される多数の個人ウェブサイト情報が情報提供サーバーの第１ＤＢに保存されてデータベース化され、広告主クライアントから提供された広告または記事が第１ＤＢに保存されてデータベース化される段階（Ｓ３１）においては、個人ウェブサイトを運営するのに必要なデータが保存された第２ＤＢ５１２から多数のデータをホスティング部５１０の第２データ伝送部５１４を通じて情報提供サーバー５００の第１データ受信部５２０に伝送し、前記第２データ受信部５１１に伝送されたデータが第２ＤＢ５１２に保存される。また、広告主クライアント１００から提供された広告または記事が第１ＤＢ５３０に保存される。
【００６７】
前記第１ＤＢにデータベース化したデータを情報提供サーバーのアプリケーション部に備えられたウェブクローラーが収集し、前記収集された個人ウェブサイトの情報を分析し、抽出された広告または記事をホスティング部に伝送して個人ウェブサイトの広告欄に掲示する段階（Ｓ４１）においては、Ｓ３１段階でデータベース化した多数のデータからアプリケーション部５４０のウェブクローラーによって動画、音楽、イメージ、テキストなどに掲示された文字が収集されて分析され、前記分析によって第１ＤＢ５３０に保存されたデータを抽出する。
【００６８】
例えば、任意の個人ウェブサイト６００に多数の動画またはイメージを掲示した場合には、前記動画またはイメージの注釈である名称をウェブクローラーが収集し、またはテキストを掲示した場合には、テキストに示された文字をウェブクローラーが収集する。前記収集された注釈または文字を利用して個人ウェブサイト６００の特徴が何であるかを分析し、前記個人ウェブサイト６００の特徴に合う広告または記事を第１ＤＢ５３０から個人ウェブサイト６００の広告欄に掲示する。
【００６９】
特に、ウェブクローラーが注釈と文字を利用して個人ウェブサイト６００の特性が何であるかを分析する方法を実施例に基づいてつぎのように説明する。
個人ウェブサイト６００に、“８回初の韓国の攻撃において、先頭のゾインソン３塁でゴロでアウト、キムミンゼはフォアボールを得、リビョンギュウの中堅安打の際に果敢に３塁に走ってセーフ、３塁手はイマエが中堅手ギンゾの送球を取ってタグする過程でボールを逃したし、リビョンギュウは２塁に安着して１死２、３塁の好機を得た。日本は、このときに右腕フジカワに投手を交替し、主張リゾングボンはホームでの勝利のために圧迫前進守備を行った日本に左センターオーバー２塁打を打った。２−０走者除去、リゾングボンは３塁に走ったがアウトされ、リスンヨプは凡打で退いた。”という文章が掲示されれば、ウェブクローラーは、前記文章の中で特殊文字、空白、助詞を除去し、動詞、形容詞は基本形単語に変更する。
【００７０】
これにより、前記文章は、助詞が除去された単語と、基本形単語、すなわち“８回初、韓国、攻撃、先頭、ゾインソン、３塁、ゴロ、アウト、キムミンゼ、フォアボール、得る、リビョンギュウ、センター前安打、果敢だ、３塁、セーフ、３塁手、イマエ、など”が存在することになる。
また、第１ＤＢ５３０には、スポーツ、レジャー、政治、社会、経済、文化、などのカテゴリーが保存されており、前記カテゴリーに合う単語が保存されている。
【００７１】
したがって、野球という単語は、スポーツ、レジャー、文化と連関性がある言葉であるので、前記スポーツ、レジャー、文化に加重値１点を与え、韓国という単語は、政治、社会、経済、文化と連関性がある言葉であるので、前記政治、社会、経済、文化に加重値１点を与え、攻撃という単語は、スポーツ、レジャー、社会、文化と連関性がある言葉であるので、前記スポーツ、レジャー、社会、文化に加重値１点を与え、先頭という単語は、スポーツ、レジャー、社会、経済と連関性がある言葉であるので、前記スポーツ、レジャー、社会、経済に加重値１点を与える。
【００７２】
文章で出たすべての単語を前記のような方法で繰り返し実行すれば、加重値点数の高い分野のカテゴリーを探すことができ、加重値点数の高い分野のカテゴリーを個人ウェブサイト６００の特徴であると判断し、前記個人ウェブサイト６００に、カテゴリーに合う広告または記事を掲示するようにする。
【００７３】
一方、広告または記事を掲示するに際して、個人ウェブサイト６００を運営する会員クライアント２００が、図９に示すように、広告設定クリックボタン６１０をクリックすれば、広告を設定することができる活性化ウィンドウ６２０が表示される。
前記活性化ウィンドウ６２０は、無作為広告を広告欄に掲示するようにする無作為広告クリック欄と、キーワードを入力して広告を掲示するキーワード入力フレームとから構成される。
【００７４】
したがって、広告設定を行わない場合には、個人ウェブサイト６００の特性に合わせて広告が掲示され、広告設定を行う場合には、設定した広告が掲示される。
前記掲示された広告または記事を持つ多数の会員クライアントが運営する個人ウェブサイトをインターネット使用者が情報提供サーバーを利用して検索する段階（Ｓ５１）は、Ｓ４１段階で特性を持つ個人ウェブサイト６００が第１ＤＢ５３０に保存されるにつれて、多数のインターネット使用者クライアント３００が情報提供サーバー５００に接続して検索語を入力すれば、第１ＤＢ５３０から前記検索語に適した多数の個人ウェブサイト６００が検索される。
【００７５】
また、インターネット使用者クライアント３００が検索語を入力すれば、第１ＤＢ５３０から前記検索語に合う広告が掲示された個人ウェブサイト６００が検索される。
前記検索された多数の会員クライアントが運営する個人ウェブサイトの中で、任意の一会員クライアントが運営する個人ウェブサイトを選択して接続する段階（Ｓ６１）は、Ｓ５１段階で多数の個人ウェブサイト６００が検索されれば、インターネット使用者クライアント３００は前記検索された多数の個人ウェブサイト６００のいずれか一つの個人ウェブサイト６００を選択すれば、その個人ウェブサイト６００に接続される。
【００７６】
また、検索語に合う広告が掲示された個人ウェブサイト６００が検索されれば、その中でいずれか一つを選択してその個人ウェブサイト６００に接続される。
前記接続したインターネット使用者クライアントが掲示された広告または記事をクリックして広告または記事を閲覧する段階（Ｓ７１）は、Ｓ６１段階で検索された個人ウェブサイト６００に接続すれば、前記個人ウェブサイト６００の特性に適した広告が掲示されるから、インターネット使用者クライアント３００は前記広告をクリックすれば、情報提供サーバー５００を介して該当の広告サイトに移動する。
【００７７】
一方、前記情報提供サーバー５００の経由は、多数のインターネット使用者クライアント３００が個人ウェブサイト６００の広告欄に掲示された広告をクリックすることによって発生するクリック回数を計数するためのものである。
さらに、広告の中で、イベントを持つ広告を閲覧した場合には、インターネット使用者クライアント３００が前記広告のイベントを実行すれば、イベント実行結果が広告主クライアント１００に保存され、前記保存されたイベント実行結果を情報提供サーバー５００が受信する。よって、前記情報提供サーバー５００は、イベントを実行した広告が掲示された個人ウェブサイト６００を運営する会員クライアント２００に一層高い収益を提供する。
【００７８】
前記広告または記事を閲覧することにより、情報提供サーバーで発生した収益を個人ウェブサイトを運営する会員クライアントに分配する段階（Ｓ８１）は、Ｓ７１段階で広告をクリックすれば、情報提供サーバー５００がクリックした回数を計数して前記計数された回数によって、多数の個人ウェブサイト６００を運営する会員クライアント２００に広告主クライアント１００から受けた広告料をアプリケーション部５４０に備えられた収益分配エンジンによって分配する。
【００７９】
また、収益配分において、前記多数の会員クライアント２００は、前記広告が掲示されることによって、アプリケーション部５４０に備えられた収益分配エンジンによって定額制広告料を受けることもでき、インターネット使用者クライアント３００が前記個人ウェブサイト６００に掲示されたイベントを持つ広告を実行することによって、アプリケーション部５４０に備えられた収益分配エンジンによって会員クライアント２００が広告料を受けることができる。
【００８０】
図７は本発明の他の一実施例による個人ウェブサイトを利用した収益創出システム構成図である。前記収益創出システムは、図１のように、多数の広告主クライアント１００と、多数の会員クライアント２００と、多数のインターネット使用者クライアント３００と、情報提供サーバー５００とから構成される。
ただ、個人ウェブサイト６００を運営する所が会員クライアント２００から情報提供サーバー５００に変更されるにしたがい、前記情報提供サーバー５００の構成が、図８に示すように、第２データ受信部５１１、第２ＤＢ５１２、ウェブサーバー５１３及び第２データ伝送部５１４が備えられたホスティング部５１０と、第１データ受信部５２０と、第１ＤＢ５３０と、アプリケーション部５４０と、第１データ伝送部５５０とから構成される。
【００８１】
したがって、本発明は前述した多数の広告主クライアント１００、多数の会員クライアント２００、及び多数のインターネット使用者クライアント３００についての記述は省略し、前記情報提供サーバー５００の構成要素のみを詳細に説明する。
【００８２】
前記ホスティング部５１０の第１データ受信部５１１は、会員クライアント２００から入力される動画、音楽、イメージ、テキストなどを受信し、受信された動画、音楽、イメージ、テキストを第２ＤＢ５１２に伝送して保存する。また、情報提供サーバー５００の第１データ伝送部５５０から個人ウェブサイト６００の特性に適した広告及び、広告の部類を設定することができる活性化ウィンドウ６２０によって設定された広告を受信する。
【００８３】
前記活性化ウィンドウ６２０は、図９に示すように、個人ウェブサイト６００に備えられた広告クリックボタン６１０をクリックすることによって活性化し、前記活性化ウィンドウ６２０は、無作為広告を広告欄に掲示するようにする無作為広告クリック欄と、キーワードを入力して広告を掲示するキーワード入力フレームとから構成される。
【００８４】
前記ホスティング部５１０の第２ＤＢ５１２は、第２データ受信部５１１に受信された動画、音楽、イメージ、テキストなどを保存する。保存された動画、音楽、イメージ、テキストなどは個人ウェブサイト６００に掲示されるようにウェブサーバー５１３によって抽出される。また、個人ウェブサイト６００の特性に適した広告を情報提供サーバー５００の第２データ伝送部５５０がホスティング部５１０の第２データ受信部５１１に伝送し、伝送された前記広告を保存する。
前記ホスティング部５１０のウェブサーバー５１３は、会員クライアント２００が管理する個人ウェブサイト６００を運営し、前記第２ＤＢ５１２に保存された動画、音楽、イメージ、テキスト及び広告を個人ウェブサイト６００に掲示する。
【００８５】
一方、個人ウェブサイト６００は、図９に示すように、一般人が運営する個人ウェブサイトの場合と、放送、スポーツ、言論、政治など社会全般的に公的資格を有する公人が運営する個人ウェブサイトの場合と、特定分野に深い関心を持っているマニアが運営する個人ウェブサイトの場合とがあり、このような多数の個人ウェブサイト運営者がホスティング部５１０で駆動されて個人ウェブサイトを運営することにより個人ウェブサイトの特性が現れる。
【００８６】
したがって、前記特性に適した広告または記事を個人ウェブサイト６００の広告欄に掲示する一方、広告クリックボタンをクリックして広告欄に記載される広告を無作為または入力された文字、数字、記号によって掲示する。
特に、多数の個人ウェブサイト６００は相互に同一ドメインネームで構成される。このように、同一ドメインネームを持つ理由は、情報提供サーバー５００が多数の会員クライアント２００に個人ウェブサイト６００を提供するために、同一ドメインネームを持っていなければならないからである。
【００８７】
一方、情報提供サーバー５００は、前記同一ドメインネームを持つ個人ウェブサイト６００と異なるドメインネームで構成されることもできる。このように、情報提供サーバー５００が異なるドメインネームを持つ理由は、前記個人ウェブサイト６００がホスティング部５１０によって管理されるからである。また、前記個人ウェブサイト６００と情報提供サーバー５００は同一ドメインネームで構成されることができる。
【００８８】
前記ホスティング部５１０の第２データ伝送部５１４は、第２ＤＢ５１２に保存された個人ウェブサイト６００に掲示される動画、音楽、イメージ、テキストなどを情報提供サーバー５００の第１データ受信部５２０に伝送する。
前述したホスティング部５１０は、会員クライアント２００の数によって負荷が生ずることができるので、ホスティング部５１０を多数構築することが好ましい。よって、情報提供サーバー５００内に多数構築することもでき、別途の客体に分離して前記情報提供サーバー５００と連動させることができる。
【００８９】
前記第１データ受信部５２０は、会員クライアント２００が本発明を実行するための姓名、住民登録番号、アドレス、連絡先などのような会員情報を受信し、さらにホスティング部５１０の第２データ伝送部５１４から受信された個人ウェブサイト６００に掲示された情報（動画、音楽、イメージ、テキストなど）を個人ウェブサイト６００の広告欄に適した広告として提供するために、個人ウェブサイト６００に掲示された情報を受信し、さらに広告主クライアント１００から広告または記事を受信する。
【００９０】
前記第１ＤＢ５３０は、第１データ受信部５２０が受信した会員クライアント２００の会員情報と広告主クライアント１００が提供した広告または記事と個人ウェブサイト６００に掲示された動画、音楽、イメージ、テキストなどを保存する。また、アプリケーション部５４０のウェブクローラーが個人ウェブサイト６００の動画、音楽、イメージ、テキストなどを分析し、個人ウェブサイト６００の特性に適した広告と前記広告が掲示される個人ウェブサイト６００をマッチングさせ、データベース化したデータを保存する。
【００９１】
また、個人ウェブサイト６００に掲示された広告を利用して収益が発生した各会員クライアント２００に支払われる広告料がアプリケーション部５４０の収益分配エンジンによって分配され、前記分配された広告料がデータベース化して保存される。
【００９２】
前記アプリケーション部５４０は、ウェブクローラー、検索エンジン、及び収益分配エンジンで構成され、前記ウェブクローラーは、第１ＤＢ５３０に保存された個人ウェブサイト６００に掲示された動画、音楽、イメージ、テキストなどを分析し、前記分析された結果によって、個人ウェブサイト６００の特性に適した広告を前記第１ＤＢ５３０から抽出する。また、前記抽出された広告と前記広告が掲示される個人ウェブサイト６００をマッチングさせてデータベース化し、第１ＤＢ５３０に保存する。
【００９３】
前記ウェブクローラーの分析は、Ｓ４１段階で記述した実施例と同様である。
前記検索エンジンは、インターネット使用者クライアント３００が情報提供サーバー５００に接続して検索語を入力すれば、第１ＤＢ５３０から前記検索語に適した多数の個人ウェブサイト６００が検索される一方、インターネット使用者クライアント３００が検索語を入力すれば、第１ＤＢ５３０から前記検索語に適した広告が掲示された個人ウェブサイトが検索される。
【００９４】
前記収益分配エンジンは、会員クライアント２００に支払う総広告料の中で、クリック回数の割合によって広告料を分配し、予め設定された広告料を各会員クライアント２００に分配し、イベントが実行された広告が掲示された個人ウェブサイト６００を運営する会員クライアント２００に設定割合の広告料より高い割合の広告料を分配する。前記のような方法で分配された情報が前記第１ＤＢ５３０に保存され、前記分配された情報によってそれぞれの会員クライアント２００に多様な決済手段で広告料が支払われる。
【００９５】
前記第１データ伝送部５５０は、前記第１ＤＢ５３０に保存された広告とマッチングする個人ウェブサイト６００に前記広告を掲示するために、ホスティング部５１０の第１データ受信部５１１に伝送する。
以上説明したように、本発明は個人ウェブサイトの特性に適した広告を提供して、個人ウェブサイトを運営する会員クライアントに新たな収益を創出する。
【００９６】
以上本発明の好適な実施例を例示の目的で説明したが、当業者であれば添付する特許請求の範囲に開示されたような本発明の範囲から逸脱せずに多様な変形、追加及び置換が可能であろう。
【図面の簡単な説明】
【００９７】
【図１】本発明の一実施例による個人ウェブサイトを利用した広告システムのブロック図である。
【図２】本発明の一実施例による会員クライアントで運営される個人ウェブサイトの例示図である。
【図３】本発明の一実施例による個人ウェブサイト検索結果の例示図である。
【図４】本発明の図１による情報提供サーバーのブロック図である。
【図５】本発明の一実施例による個人ウェブサイトを利用した収益創出方法を示すフローチャートである。
【図６】本発明の他の一実施例による個人ウェブサイトを利用した収益創出方法を示すフローチャートである。
【図７】本発明の他の一実施例による個人ウェブサイトを利用した収益創出システムの構成図である。
【図８】本発明の図７による情報提供サーバーのブロック図である。
【図９】本発明の他の一実施例による情報提供サーバーで運営される個人ウェブサイトの例示図である。
【符号の説明】
【００９８】
１００・・・広告主クライアント、２００・・・会員クライアント、３００・・・インターネット使用者クライアント、４００・・・情報提供サーバー
【図１】
2010506243.tif 000003
【図２】
2010506243.tif 000004
【図３】
2010506243.tif 000005
【図４】
2010506243.tif 000006
【図５】
2010506243.tif 000007
【図６】
2010506243.tif 000008
【図７】
2010506243.tif 000009
【図８】
2010506243.tif 000010
【図９】
2010506243.tif 000011
【国際調査報告】
2010506243.tif 000012
2010506243.tif 000013